(57)【要約】【課題】複数の周波数帯を利用し伝送容量を増すとともに、各クライアントが伝播条件の違いや無線ＬＡＮシステムの運用条件の違いに対応して伝送速度を設定できることが可能な無線ＬＡＮシステムを提供する。【解決手段】アクセスポイント１は、各々のクライアント２（＃１〜＃ｎ）との間で第１および第２の周波数帯で通信可能な伝送速度を測定する試験信号の送受信を行って通信管理テーブル５に記録した伝送速度表と、同じく通信管理テーブル５に記録されている各クライアント２（＃１〜＃ｎ）の伝送速度を設定した伝送設定モード表、および伝送モード選択表とを比較・参照して、各クライアント２（＃１〜＃ｎ）との間の伝送速度の設定を変更する。【選択図】  図２
2004221710.tif 000002
【特許請求の範囲】
【請求項１】
１つ又は複数の端末機器と接続される複数のクライアントと、このクライアントとの間で第１の周波数帯および第２の周波数帯のいずれかの周波数帯を用いて無線通信を行うアクセスポイントとで構成される無線ＬＡＮシステムにおいて、
前記アクセスポイントから前記複数のクライアントを順次指定して、前記第１および第２の周波数帯のそれぞれに対応して段階的に設定された複数の伝送速度の中から当該クライアントと通信可能な伝送速度を試験する試験手段と、
前記試験手段によって得られた伝送速度から前記複数のクライアント毎の伝送速度を設定してメモリに記憶する記憶手段と、
前記メモリに記憶された前記複数のクライアント毎の伝送速度から同じ周波数帯を共用する時の実効伝送速度を算出する算出手段と、
前記実効伝送速度の最大値と前記設定された伝送速度の最小値の差が予め設定された値以上の場合、当該最大値の実効伝送速度を持つクライアントに設定されている前記伝送速度を一段下げた伝送速度に再設定する再設定手段とを
具備することを特徴とする無線ＬＡＮシステム。
【請求項２】
前記実効伝送速度は、前記設定された伝送速度を同じ周波数帯で通信するクライアントの数で除した値であることを特徴とする請求項１記載の無線ＬＡＮシステム。
【請求項３】
前記一段低い伝送速度の前記実効伝送速度を求め、その実効伝送速度と前記伝送速度の最小値の差が予め設定された値以上の場合、前記再設定手段を繰り返し実行することを特徴とする請求項１記載の無線ＬＡＮシステム。
【請求項４】
１つ又は複数の端末機器と接続されている複数のクライアントと、このクライアントと第１の周波数帯および第２の周波数帯のいずれかの伝送速度に従い無線ＬＡＮ通信を行うアクセスポイントとで構成される無線ＬＡＮシステムの通信制御方法において、
前記アクセスポイントから前記複数のクライアントを順次指定して、前記第１および第２の周波数帯の複数の伝送速度の中から当該クライアントと通信可能な伝送速度を試験し、
この試験によって得られた伝送速度から前記複数のクライアント毎の伝送速度を設定してメモリに記憶し、
前記メモリに記憶された前記複数のクライアント毎の伝送速度から同じ周波数帯を共用する時の実効伝送速度を算出し、
前記実効伝送速度の最大値と前記設定された伝送速度の最小値の差が予め設定された値以上の場合、当該最大値の実効伝送速度を持つクライアントに設定されている前記伝送速度を一段低い伝送速度に再設定する
ことを特徴とする無線ＬＡＮシステムの通信制御方法。
【請求項５】
前記実効伝送速度は、前記設定された伝送速度を同じ周波数帯で通信するクライアントの数で除して求めることを特徴とする請求項４記載の無線ＬＡＮシステムの通信制御方法。
【請求項６】
前記一段低い伝送速度の前記実効伝送速度を求め、その実効伝送速度と前記伝送速度の最小値の差が予め設定された値以上の場合、再設定を繰り返し実行することを特徴とする請求項４記載の無線ＬＡＮシステムの通信制御方法。
【請求項７】
１つ又は複数の端末機器と接続される複数のクライアントと、このクライアントとの間で第１の周波数帯および第２の周波数帯のいずれかの周波数帯を用いて無線通信を行うアクセスポイントとで構成される無線ＬＡＮシステムにおいて、
前記アクセスポイントから前記複数のクライアントを順次指定して、前記第１および第２の周波数帯のそれぞれに対応して段階的に設定された複数の伝送速度の中から当該クライアントと通信可能な伝送速度を試験する試験手段と、
前記試験手段によって得られた伝送速度から前記複数のクライアント毎の第１の伝送速度を設定する設定手段と、
特定のクライアントの伝送速度を速い伝送速度に設定し、他のクライアントの伝送速度を低い伝送速度に設定した第２の伝送速度、および前記第１の伝送速度が前記複数のクライアントに対応して記憶される記憶手段と、
前記記憶手段に記憶された前記第１の伝送速度または前記第２の伝送速度を用いて前記アクセスポイントと前記複数のクライアントのデータ通信を行う通信手段とを
具備することを特徴とする無線ＬＡＮシステム。
【請求項８】
前記第１の伝送速度から同じ周波数帯を共用する時の実効伝送速度を算出し、その実効伝送速度の最大値と前記第１の伝送速度の最小値から前記第１の伝送速度より平均化された第３の伝送速度を設定して前記記憶手段に記憶し、前記第１の伝送速度または前記第２の伝送速度または前記第３の伝送速度を用いて前記アクセスポイントと前記複数のクライアントのデータ通信を行うことを特徴とする請求項７記載の無線ＬＡＮシステム。
【請求項９】
前記アクセスポイントは、
前記アクセスポイントと前記複数のクライアントとの間のトラフィック量を測定する手段を更に有し、
前記第１の伝送速度または前記第２の伝送速度または前記第３の伝送速度の選択は、前記アクセスポイントと前記複数のクライアントとの間のトラフィック量に応じて選択されることを特徴とする請求項７記載の無線ＬＡＮシステム。
【請求項１０】
１つ又は複数の端末機器と接続されている複数のクライアントと、このクライアントと第１の周波数帯および第２の周波数帯のいずれかの伝送速度に従い無線ＬＡＮ通信を行うアクセスポイントとで構成される無線ＬＡＮシステムの通信制御方法において、
前記アクセスポイントから前記複数のクライアントを順次指定して、前記第１および第２の周波数帯の複数の伝送速度の中から当該クライアントと通信可能な伝送速度を試験し、
この試験によって得られた伝送速度から前記複数のクライアント毎の第１の伝送速度を設定し、
特定のクライアントの伝送速度を速い伝送速度に設定し、他のクライアントの伝送速度を低い伝送速度に設定した第２の伝送速度、および前記第１の伝送速度が前記複数のクライアントに対応してメモリに記憶し、
前記メモリに記憶された前記第１の伝送速度または前記第２の伝送速度を用いて前記アクセスポイントと前記複数のクライアントのデータ通信を行う
ことを特徴とする無線ＬＡＮシステムの通信制御方法。
【請求項１１】
前記第１の伝送速度から同じ周波数帯を共用する時の実効伝送速度を算出し、
その実効伝送速度の最大値と前記第１の伝送速度の最小値から前記第１の伝送速度より平均化された第３の伝送速度を設定して前記メモリに記憶し、
前記第１の伝送速度または前記第２の伝送速度または前記第３の伝送速度を用いて前記アクセスポイントと前記複数のクライアントのデータ通信を行うことを特徴とする請求項１０記載の無線ＬＡＮシステムの通信制御方法。
【請求項１２】
前記第１の伝送速度または前記第２の伝送速度または前記第３の伝送速度の選択は、前記アクセスポイントと前記複数のクライアントとの間のトラフィック量に応じて選択されることを特徴とする請求項１０記載の無線ＬＡＮシステムの通信制御方法。
【発明の詳細な説明】
【０００１】
【発明の属する技術分野】
本発明は、無線ＬＡＮシステム、および無線ＬＡＮシステムの通信制御方法に関する。
【０００２】
【従来の技術】
インターネットの利用が進むに従い、利用者に高速のアクセス回線を提供する手段として、ケーブルを敷設する必要が無い利点を生かし、高速のアクセス回線として無線ＬＡＮが採用されている。しかし、無線ＬＡＮが使用できる周波数の帯域には制限があり、多くの無線ＬＡＮ端末が同時に無線ＬＡＮにアクセスすると、スループットが低下する。そこで無線ＬＡＮを一つの周波数帯で運用すると周波数帯域が不足するため、新たな周波数帯を追加して運用する検討が行なわれている（例えば、特許文献１参照。）。
【０００３】
この無線ＬＡＮでは、同一エリヤ内で同時に設定可能なチャンネル数を増加させることを目的にしており、第１の周波数および第２の周波数の各周波数帯の各チャネルに試験電波を送信し、受信電力等を測定した結果から、妨害の少ないチャネルを選び出して通信チャネルに設定している。
【０００４】
この無線ＬＡＮでは、２つの異なる周波数帯で妨害に強く、通信可能チャネル数を増大出来るが、各無線ＬＡＮ端末におけるスループットの確保には対応出来ない問題があった。
【０００５】
また、他の従来技術として、２つの周波数帯に対応可能な無線ＬＡＮがあるが、同時に２つの周波数を利用するのではなくいずれか一方の周波数を選択して通信するものであって、無線ＬＡＮ端末毎にそれぞれの周波数帯での伝送速度設定ができない（例えば、非特許文献１参照。）。
【０００６】
このように、これまでの無線ＬＡＮでは、各無線ＬＡＮ端末で得られるスループットの設定が困難で、無線ＬＡＮ端末毎に伝播条件の違い等に対応して周波数帯や伝送速度を設定したり、無線ＬＡＮの運用条件に対応して伝送速度が設定できる通信サービスを提供できない問題があった。
【０００７】
【特許文献１】
特開２００２−３３７１３号公報  （第９頁、第４図）
【０００８】
【非特許文献１】
日経コミュニケーション２００２年７月１５日号，ｐ７７−７９
【０００９】
【発明が解決しようとする課題】
従来の無線ＬＡＮシステムでは、無線ＬＡＮ端末（以下クライアントと呼ぶ）の増加に対し、複数の周波数帯を利用し、伝送容量不足の解消を図ることが考えられているが、無線ＬＡＮ端末毎に伝播条件の違いや無線ＬＡＮの運用条件に対応して周波数帯および伝送速度を設定できない問題があった。
【００１０】
本発明は、上記問題を解決するためになされたもので、複数の周波数帯を利用し伝送容量を増すとともに、各クライアントが伝播条件の違いや無線ＬＡＮシステムの運用条件の違いに対応して伝送速度を設定できることが可能な無線ＬＡＮシステムおよびその通信制御方法を提供することを目的とする。
【００１１】
【課題を解決するための手段】
上記目的を達成するために、本発明の無線ＬＡＮシステムは、１つ又は複数の端末機器と接続されている複数のクライアントと、このクライアントと第１の周波数帯および第２の周波数帯のいずれかの伝送速度に従い無線ＬＡＮ通信を行うアクセスポイントとで構成される無線ＬＡＮシステムにおいて、前記アクセスポイントから前記複数のクライアントを順次指定して、前記第１および第２の周波数帯の複数の伝送速度の中から当該クライアントと通信可能な伝送速度を試験する手段と、前記試験手段によって得られた伝送速度から前記複数のクライアント毎の伝送速度を設定してメモリに記憶する手段と、前記メモリに記憶された前記複数のクライアント毎の伝送速度から同じ周波数帯を共用する時の実効伝送速度を算出する手段と、前記実効伝送速度の最大値と前記設定された伝送速度の最小値の差が予め設定された値以上の場合、当該最大値の実効伝送速度を持つクライアントに設定されている前記伝送速度を一段低い伝送速度に再設定する手段と
を具備することを特徴とする。
【００１２】
さらに、本発明の無線ＬＡＮシステムは、１つ又は複数の端末機器と接続されている複数のクライアントと、このクライアントと第１の周波数帯および第２の周波数帯のいずれかの伝送速度に従い無線ＬＡＮ通信を行うアクセスポイントとで構成される無線ＬＡＮシステムにおいて、前記アクセスポイントから前記複数のクライアントを順次指定して、前記第１および第２の周波数帯の複数の伝送速度の中から当該クライアントと通信可能な伝送速度を試験する手段と、前記試験手段によって得られた伝送速度から前記複数のクライアント毎の第１の伝送速度を設定する設定手段と、特定のクライアントの伝送速度を速い伝送速度に設定し、他のクライアントの伝送速度を低い伝送速度に設定した第２の伝送速度、および前記第１の伝送速度が前記複数のクライアントに対応して記憶される記憶手段と、前記記憶手段に記憶された前記第１の伝送速度または前記第２の伝送速度を用いて前記アクセスポイントと前記複数のクライアントのデータ通信を行う手段とを
具備することを特徴とする。
【００１３】
また、本発明の無線ＬＡＮシステムの通信制御方法は、１つ又は複数の端末機器と接続されている複数のクライアントと、このクライアントと第１の周波数帯および第２の周波数帯のいずれかの伝送速度に従い無線ＬＡＮ通信を行うアクセスポイントとで構成される無線ＬＡＮシステムの通信制御方法において、前記アクセスポイントから前記複数のクライアントを順次指定して、前記第１および第２の周波数帯の複数の伝送速度の中から当該クライアントと通信可能な伝送速度を試験し、この試験によって得られた伝送速度から前記複数のクライアント毎の伝送速度を設定してメモリに記憶し、前記メモリに記憶された前記複数のクライアント毎の伝送速度から同じ周波数帯を共用する時の実効伝送速度を算出し、前記実効伝送速度の最大値と前記設定された伝送速度の最小値の差が予め設定された値以上の場合、当該最大値の実効伝送速度を持つクライアントに設定されている前記伝送速度を一段低い伝送速度に再設定することを特徴とする。
【００１４】
そして更に、本発明の無線ＬＡＮシステムの通信制御方法は、１つ又は複数の端末機器と接続されている複数のクライアントと、このクライアントと第１の周波数帯および第２の周波数帯のいずれかの伝送速度に従い無線ＬＡＮ通信を行うアクセスポイントとで構成される無線ＬＡＮシステムの通信制御方法において、前記アクセスポイントから前記複数のクライアントを順次指定して、前記第１および第２の周波数帯の複数の伝送速度の中から当該クライアントと通信可能な伝送速度を試験し、この試験によって得られた伝送速度から前記複数のクライアント毎の第１の伝送速度を設定し、特定のクライアントの伝送速度を速い伝送速度に設定し、他のクライアントの伝送速度を低い伝送速度に設定した第２の伝送速度、および前記第１の伝送速度が前記複数のクライアントに対応してメモリに記憶し、前記メモリに記憶された前記第１の伝送速度または前記第２の伝送速度を用いて前記アクセスポイントと前記複数のクライアントのデータ通信を行うことを特徴とする。
【００１５】
【発明の実施の形態】
以下、図面を参照して本発明の実施の形態を説明する。
【００１６】
図１は、本発明の無線ＬＡＮシステムの実施の形態の構成を示すブロック図である。
【００１７】
図１において、無線ＬＡＮシステムは、特定のエリヤに設置され、アクセスポイント１、クライアント２（＃１〜＃ｎ）およびクライアント２（＃１〜＃ｎ）に接続される端末機器等４（＃１〜＃ｍ）を具備し、アクセスポイント１は、ネットワーク３と接続している。複数のクライアント２（＃１〜＃ｎ）は、自分に接続されている端末機器等４（＃１〜＃ｍ）との間でデータの送受信を行ない、更にそのデータを無線通信により、アクセスポイント１との間で送受信している。ただし、クライアント２には複数の端末機器等４が接続可能である。
【００１８】
また、本発明の無線ＬＡＮシステムでは、アクセスポイント１とクライアント２との間の通信を監視してトラフィックの測定を行うように設定されている。このトラフィック測定は、アクセスポイント１自身が測定する。アクセスポイント１の負荷を軽減したい場合には、独立した装置の網監視制御装置６をネットワーク３、又はアクセスポイント１、または、クライアント２に接続して、この網監視制御装置６を用いて測定する方法もある。
【００１９】
ネットワーク３は、例えば、有線のＬＡＮが使用される。アクセスポイント１は、ネットワーク３に接続される装置（端末機器又はホストコンピュータ等）と複数のクライアント２（＃１〜＃ｎ）との間のデータを仲介するブリッジとして機能している。
【００２０】
クライアント２（例えば＃１）に接続されている端末機器等４（＃１）とクライアント２（例えば＃ｎ）に接続されている端末機器等４（＃ｍ）とはアクセスポイント１を介して相互にデータを送受信する。また、端末機器４（＃１〜＃ｍ）は、アクセスポイント１からネットワーク３を介してホストコンピュータ、サーバ、他の端末機器等との間でデータを送受信する。
【００２１】
本発明の無線ＬＡＮシステムでは、伝送容量を増す為にアクセスポイント１が各クライアント２（＃１〜＃ｎ）と無線で通信する無線周波数は、例えば第１の周波数帯と第２の周波数帯のように複数の周波数帯を使用する。
【００２２】
そして、アクセスポイント１と各クライアント２（＃１〜＃ｎ）間の周波数帯は、アクセスポイント１の指定に従って、例えば、アクセスポイント１とクライアント２（＃１）では第１の周波数帯を使うように設定され、またアクセスポイント１とクライアント２（＃ｎ）では第２の周波数帯を使うようにそれぞれ設定される。
【００２３】
第１、第２の周波数帯それぞれにおいては、これらの周波数帯の搬送波は変調されるが、変調方式により変調速度、即ち伝送速度が決まる。
【００２４】
そして、その変調可能な最高速度は、アクセスポイント１と各クライアント２（＃１〜＃ｎ）それぞれの通信（即ち、電波伝播）区間における伝播距離、反射、遮蔽等の電波伝播条件に伴って変化する受信電力強度、無線通信の相互干渉や妨害の有無による誤り発生等により、性能限界（即ち、伝送可能最高速度）が左右されるので、アクセスポイント１と各クライアント２（＃１〜＃ｎ）それぞれの伝送速度は異なることが多い。
【００２５】
従って、様々な電波伝播条件に対応し得るようにデータを伝送するための伝送速度は、第１、第２の周波数帯それぞれに対応して、幾つかの伝送速度が段階的に予め設定されている。そして、その伝送速度は、アクセスポイント１と各クライアント２（＃１〜＃ｎ）のそれぞれのコネクション（接続条件）毎に、例えば伝送速度を決めるための試験信号の送受信結果、もしくは初期設定等の手段により上述の段階的に設定された伝送速度から選択される。
【００２６】
図２は、本発明のアクセスポイント１の構成を示すブロック図で、アクセスポイント１は、第１の周波数帯に対する無線送受信部ＴＲＸ１、第２の周波数帯に対する無線送受信部ＴＲＸ２、通信制御部ＣＣ１、通信管理テーブル５、ＭＡＣ（メディア  アクセス  制御）部ＭＣ１、ネットワークインタフェースＩＦ１から構成されている。
【００２７】
また、図３は、本発明のクライアント２の構成を示すブロック図で、クライアント２は、第１の周波数帯に対する無線送受信部ＴＲＸ３、第２の周波数帯に対する無線送受信部ＴＲＸ４、通信制御部ＣＣ２、ＭＡＣ（メディア  アクセス  制御）部ＭＣ２、端末インタフェースＩＦ２から構成されている。
【００２８】
図４は、ＩＥＥＥ８０２．１１ａ、およびＩＥＥＥ８０２．１１ｂの標準を例にとって２つの周波数帯に対応して設定されている伝送速度を表にした図である。この伝送速度の表は、アクセスポイント１の通信管理テーブル５に周波数帯・伝送速度設定表５ａとして記録される。
【００２９】
ここでは、説明の便宜上２つの周波数帯を使用する例を説明するが、２つの周波数帯だけでなく、更に第３の周波数帯が追加される場合においても、方法、手順は同様である。
【００３０】
図４において、第１の周波数帯はＩＥＥＥ８０２．１１ｂ標準の２．４ＧＨｚ帯に相当し、伝送速度は、１１Ｍｂｐｓが最高で、以下、５．５Ｍｂｐｓ、２Ｍｂｐｓ、１Ｍｂｐｓと次第に伝送速度が下がる設定値となっている。また第２の周波数帯は、ＩＥＥＥ８０２．１１ａ標準の５ＧＨｚ帯に相当し、同様に伝送速度が、最高５４Ｍｂｐｓから最低６Ｍｂｐｓまで８つの段階に設定されている。
【００３１】
この伝送速度の設定においては、アクセスポイント１と各クライアント２（＃１〜＃ｎ）の間の電波伝播条件が悪い程、低い伝送速度に設定されるとしている。
【００３２】
以下、アクセスポイント１と各クライアント２（＃１〜＃ｎ）のそれぞれの動作を説明し、次に周波数帯と伝送速度を決定する通信制御方法について説明を行う。
【００３３】
図５は、ＩＥＥＥ８０２．１１ａおよびＩＥＥＥ８０２．１１ｂの標準を例に、アクセスポイント１と各クライアント２（＃１〜＃ｎ）との間で送受信されるパケットの構成を説明した図である。
【００３４】
アクセスポイント１と各クライアント２（＃１〜＃ｎ）との間は、図５のパケットデータに構成して試験信号もしくはメッセージ信号の送受信を行う。
【００３５】
無線ＬＡＮで送受信されるパケットデータ（試験信号もしくはメッセージ信号）は、受信側で同期を取るためのＰＬＣＰプリアンブル（１００バイト程度）、物理層の動作を規定するパラメータを記述したＰＬＣＰヘッダ（２４バイト）、ＭＡＣ（Ｍｅｄｉａ  Ａｃｃｅｓｓ  Ｃｏｎｔｒｏｌ）メディア層の制御パラメータを記述したＭＡＣヘッダ（２４〜３０バイト）、メッセージデータ本体を搭載するデータフレーム（０〜２３１２バイト）、誤り制御のためのＦＣＳ（Ｆｒａｍｅ  Ｃｈｅｃｋ  Ｓｃｅｑｕｅｎｃｅ）フレーム（４バイト）等からなる。
【００３６】
ＰＬＣＰヘッダは更にＳＹＮＣ（１６バイト），ＳＦＤ（２バイト），シグナル（１バイト）、サービス（１バイト）、フレーム長（２バイト）、ＣＲＣ（２バイト）の各フィールドで構成される。
【００３７】
ＰＬＣＰプリアンブル、およびＰＬＣＰヘッダは、使用する周波数帯での最低の伝送速度（例えば、第１の周波数帯では１Ｍｂｐｓ）で送信され、ＰＬＣＰヘッダのシグナルフィールドに、ＭＡＣヘッダおよびデータフレームの伝送速度が記述されている。
【００３８】
従って、試験信号や、メッセージ信号を受信したアクセスポイント１もしくはクライアント２は、このシグナルフィールドで指定された伝送速度でＭＡＣヘッダとデータのフレームを復調することが出来る。
【００３９】
図６は、アクセスポイント１と各クライアント２（＃１〜＃ｎ）の間で可能な最高伝送速度の測定を行う試験信号を送受信する基本手順を示したフローチャートである。
【００４０】
最初にその概念を述べると、無線ＬＡＮシステムは、システム起動時（アクセスポイント１の電源が投入されると）、まず、全てのクライアント２（＃１〜＃ｎ）との間で通信を行うための伝送速度を決定するため、アクセスポイント１からクライアント２（＃１〜＃ｎ）へ試験信号を順番に従って送信する。
【００４１】
即ち、アクセスポイント１と各クライアント２（＃１〜＃ｎ）との間で試験信号が送受信されることによって、アクセスポイント１では各クライアント２（＃１〜＃ｎ）との間でそれぞれの周波数帯における可能な最高の伝送速度が測定され、その結果がアクセスポイント１の通信管理テーブル５に測定データとして記録される。
【００４２】
そして、アクセスポイント１は、この通信管理テーブル５の測定データと、同じく通信管理テーブル５に記録されている速度設定データ、周波数・伝送速度設定表５ａの関係を参照して、各クライアント２（＃１〜＃ｎ）との通信に用いる周波数帯と伝送速度を選定する。
【００４３】
以下に、図６を参照して、アクセスポイント１と各クライアント２（＃１〜＃ｎ）の機器動作と伝送速度の測定手順を説明する。
【００４４】
アクセスポイント１では、電源投入後に動作可能状態になると、まず通信制御部ＣＣ１は、クライアント２（＃１〜＃ｎ）に対する試験信号を作成する。
【００４５】
即ち、アクセスポイント１の通信制御部ＣＣ１は、ＭＡＣ部ＭＣ１と無線送受信部ＴＲＸ１に制御信号を送り、最初の送信先のアドレスとしてクライアント２（＃１）を設定し（図６のステップｓ１１）、周波数帯として第１の周波数帯を設定し（図６のステップｓ１２）、次に伝送速度を第１の周波数帯の最高伝送速度（１１Ｍｂｐｓ）に設定（図６のステップｓ１３）する制御を行う。また、通信制御部ＣＣ１は、テストパタン信号を送信する制御信号をＭＡＣ部ＭＣ１に送信する。
【００４６】
これを受けてＭＡＣ部ＭＣ１は、クライアント２（＃１）への試験信号としてＰＬＣＰヘッダの“シグナル”フィールドに伝送速度「１１Ｍｂｐｓ」の設定とＭＡＣヘッダに「試験信号」と送信先クライアント２（＃１）のアドレスの設定を行う。また、データフレームにメッセージの代わりに、誤り測定の為のテストパタン信号（試験データ）を搭載した試験信号を作成して無線送受信部ＴＲＸ１に出力する。
【００４７】
アクセスポイント１の無線送受信部ＴＲＸ１は、通信制御部ＣＣ１から送信指示の制御信号を受け取り、且つＭＡＣ部ＣＣ１から上記の試験信号（パケットデータ）を受け取ると、第１の周波数帯の最高伝送速度（１１Ｍｂｐｓ）で試験信号の電波をアンテナから各クライアント２（＃１〜＃ｎ）に送信する（図６のステップｓ１４）。そして、通信制御部ＣＣ１は、クライアント２（＃１）からの応答を待つ（図６のステップｓ１５）。
【００４８】
一方、クライアント２（＃１）は、当初待機状態にあるが（図６のステップｓ１６）、アクセスポイント１からの第１の周波数帯で送信された試験信号は、クライアント２（＃１）の無線送受信部ＴＲＸ３によって受信され、第１の周波数帯での最低伝送速度（この例では１Ｍｂｐｓ）でＰＬＣＰプリアンブルおよびＰＬＣＰヘッダの復調を始める。
【００４９】
すると、無線送受信部ＴＲＸ３は、試験信号のパケットの先頭に有って、第１の周波数帯での最低伝送速度で送信されているＰＬＣＰヘッダの“シグナル”フィールドから、アクセスポイント１が設定した伝送速度が最高速度の１１Ｍｂｐｓであると判断すると、ＭＡＣヘッダ以降の信号を１１Ｍｂｐｓで復調し、ＭＡＣ部ＭＣ２に復調した信号を出力する。
【００５０】
そして、ＭＡＣ部ＭＣ２は、ＭＡＣヘッダにあるアドレスを判読して（図６のステップｓ１７）、自分宛の信号であれば（図６のステップｓ１８がＹｅｓの場合）、更にその試験信号のデータフレームに設定されたテストパタン信号をクライアント２（＃１）が所有する誤り検出のためのテストパタンと照合して、試験信号の誤り率を測定する（図６のステップｓ１９）。
【００５１】
また、ステップｓ１８でクライアント２（＃１）は、送信先アドレスから自分宛の信号ではではないと判断した場合は、そのまま待機状態（ステップＳ１６）へ戻る。
【００５２】
そして、クライアント２（＃１）の通信制御部ＣＣ２は、モニタしていた試験信号の指定された伝送速度における誤り率の測定結果から、所定の誤り率（例えばビット誤り率が１万分の１以下）の基準に達していれば、ＭＡＣ部ＭＣ２にＡＣＫ応答をするよう指示する（図６のステップｓ２０がＹｅｓの場合）。
【００５３】
そして、ＭＡＣ部ＭＣ２は、ＭＡＣヘッダの送信先アドレスとして「アクセスポイント１」および送信元アドレスとして「自分のアドレス」、ならびに返送するメッセージとして「ＡＣＫ応答」を設定し、またＰＬＣＰヘッダの“シグナル”フィールドに受信に成功した「伝送速度（１１Ｍｂｐｓ）」を書き込んで、無線送受信部ＴＲＸ３にパケットを出力する。
【００５４】
クライアント２（＃１）の無線送受信部ＴＲＸ３は、通信制御部ＣＣ２からＡＣＫ応答を指示する制御信号を受け取り且つ、ＭＡＣ部ＭＣ２から上記のパケットを受け取ると、当該パケットのＰＣＬＰプリアンブルおよびＰＣＬＰヘッダを第１の周波数帯での最低伝送速度（この例では１Ｍｂｐｓ）で、またＭＡＣヘッダ以降のＡＣＫ応答を指定された伝送速度（１１Ｍｂｐｓ）でアクセスポイント１に送り返す（図６のステップｓ２１）。
【００５５】
また同時に、クライアント２（＃１）の通信制御部ＣＣ２は、その伝送速度をアクセスポイント１に送信する際の送信伝送速度として内部メモリに記憶する（図６のステップｓ２２）。
【００５６】
アクセスポイント１の無線送受信部ＴＲＸ１は、クライアント２（＃１）からあるＡＣＫ応答信号を受信すると、そのＡＣＫ応答信号のＰＬＣＰヘッダを最低伝送速度で復調してＰＬＣＰヘッダを判読し、又、ＭＡＣヘッダを“シグナル”フィールドで設定されている伝送速度（１１Ｍｂｐｓ）で復調して、そのパケットをＭＡＣ部ＭＣ１に出力する。
【００５７】
アクセスポイント１のＭＡＣ部ＭＣ１は、受け取ったパケットが自分宛のデータであることを確認すると、ＡＣＫ応答信号を送った送信元アドレス、即ち、クライアント２（＃１）のアドレスを通信制御部ＣＣ１に通知する。
【００５８】
すると、通信制御部ＣＣ１は、このＡＣＫ応答信号に設定されている伝送速度、即ち、第１の周波数帯の最高伝送速度（１１Ｍｂｐｓ）をクライアント２（＃１）の伝送速度として通信管理テーブル５に記録する（図６のステップｓ２４）。
【００５９】
通信管理テーブル５のクライアント毎の伝送速度測定表５ｂに記録した伝送速度が第１の周波数帯であることを確認すると（図６のステップｓ２５がＹｅｓの場合）、引き続きクライアント毎の伝送速度測定表５ｂの第２の周波数帯における最高伝送速度（５４Ｍｂｐｓ）を記録するための測定に着手する。
【００６０】
そしてアクセスポイント１の通信制御部ＣＣ１は、周波数帯を第２の周波数帯に設定し（図６のステップｓ２６）、伝送速度を第２の周波数帯の最高伝送速度（５４Ｍｂｐｓ）に設定した（図６のステップｓ２７）試験信号を再び各クライアント２（＃１〜＃ｎ）に送信する（図６のステップｓ１４）。
【００６１】
以降の処理は、第１の周波数帯での測定と同様なのでその説明は省略する。
【００６２】
一方、ステップｓ２０で、最初に第１の周波数帯の最高伝送速度（１Ｍｂｐｓ）で送信された試験信号をクライアント２（＃１）が受信したとき、所定の誤り率より悪い時は（図６のステップｓ２０がＮｏの場合）、クライアント２（＃１）の通信制御部ＣＣ２は、次の試験信号を待つことを示す制御信号を無線送受信部ＴＲＸ３とＭＡＣ部ＭＣ２に出力し、クライアント２（＃１）は待機状態に入っている。
【００６３】
また、ステップｓ１５でアクセスポイント１の通信制御部ＣＣ１は、クライアント２（＃１）からの応答を待ち状態から、一定時間待ってもクライアント２（＃１）からのＡＣＫ応答信号がないと設定した伝送速度（ここでは最高伝送速度）での通信は出来ないと判断する（図６のステップｓ１５がＮｏの場合）。
【００６４】
そして、アクセスポイント１の通信制御部ＣＣ１は、通信に失敗した第１の周波数の伝送速度より１段階伝送速度を下げた試験信号のパケットを生成して同様に送信する（図６のステップｓ２３）。
【００６５】
アクセスポイント１の通信制御部ＣＣ１は、クライアント２（＃１）からＡＣＫ信号を受け取るまでこれを繰り返し、クライアント２（＃１）からＡＣＫ応答信号のあった伝送速度を通信管理テーブル５に記録して（図６のステップｓ２４）、第２の周波数帯における最高伝送速度の測定（図６のステップｓ２６）に着手する。
【００６６】
もし、第１の周波数帯でクライアント２（＃１）から１回もＡＣＫ応答信号を受信できなければ、アクセスポイント１の通信制御部ＣＣ１は、クライアント２（＃１）とは第１の周波数帯では通信不可と通信管理テーブル５のクライアント毎の伝送速度測定表５ｂに記録して、第２の周波数帯における最高伝送速度の測定に着手する。（図６のステップｓ２６）
そして、第２の周波数帯においても、アクセスポイント１の無線送受信部ＴＲＸ２を用いて、第１の周波数帯の場合と同様の手順で、第２の周波数帯における、クライアント２（＃１）の伝送速度を測定し、その結果を通信管理テーブル５のクライアント毎の伝送速度測定表５ｂに記録する。
【００６７】
次にアクセスポイント１は、クライアント２（＃１）の伝送速度の記録が終了すると（図６のステップｓ２５がＮｏの場合）、残りのクライアント２（＃２〜＃ｎ）についても、同様の手順を繰り返してこの第１、第２の周波数帯での伝送速度を測定し、通信管理テーブル５のクライアント毎の伝送速度測定表５ｂに記録する。
【００６８】
図７は、アクセスポイント１と各クライアント２（＃１〜＃ｎ）の間で測定された伝送速度を通信管理テーブル５に記録した、クライアント毎の伝送速度測定表５ｂの図である。
【００６９】
なお、本実施例では、各クライアント２（＃１〜＃ｎ）の間の伝送速度の測定は、ユニキャストもしくはポーリングに類する方法で測定する方式を示したが、この他、例えば、マルチキャスト（同報）もしくはコンテンション等の方式で一斉にクライアント２（＃１〜＃ｎ）を呼出し、応答の有ったクライアント２（例えば＃１）から先に測定する方法をとってもよい。
【００７０】
アクセスポイント１は、各クライアント２（＃１〜＃ｎ）との伝送速度の調査を終えると、引き続いてこの通信管理テーブル５に記録された伝送速度測定表５ｂと周波数帯・伝送速度設定表５ａとを参照して、最終的に各クライアント２（＃１〜＃ｎ）との通信の接続（コネクション）に対して、伝送速度を設定する。
【００７１】
例えば、各クライアント２（＃１〜＃ｎ）で、それぞれが、自分の伝送可能な最高の速度でアクセスポイント１との通信を行うように無線ＬＡＮシステムを動作させるので有れば、各クライアント２（＃１〜＃ｎ）は、クライアント毎の伝送速度測定表５ｂに記録された第１および第２の周波数帯のどちらか速い方の伝送速度をアクセスポイント１との通信速度に設定する。
【００７２】
即ち、図７の伝送速度測定表５ｂにおいて、例えば、各クライアント２（＃３）では、測定された伝送速度は第１の周波数帯では５．５Ｍｂｐｓ、第２の周波数帯では２４Ｍｂｐｓであったとすると、第２の周波数帯の２４Ｍｂｐｓがアクセスポイント１との伝送速度として設定される。
【００７３】
それらの各クライアント２（＃１〜＃ｎ）に対して設定されたアクセスポイント１との伝送速度は、最高伝送速度測定表５ｂと同様に通信管理テーブル５に各クライアント２（＃１〜＃ｎ）との間のクライアント・設定伝送速度表５ｃとして記録される。
【００７４】
図８は、アクセスポイント１と各クライアント２（＃１〜＃ｎ）との間で設定された伝送速度を記録した通信管理テーブル５のクライアント・設定伝送速度表５ｃの一例である。
【００７５】
このクライアント２（＃１〜＃ｎ）に対する設定伝送速度が通信管理テーブル５のクライアント・設定伝送速度表５ｃに設定されると、アクセスポイント１は直ちに、設定された伝送速度を各クライアント２（＃１〜＃ｎ）毎に通知する為、伝送速度を測定する時の試験信号と同様のパケットを生成して送信する。
【００７６】
即ち、各クライアント２（＃１〜＃ｎ）では、この伝送速度を通知するパケットを受信すると、その指定された伝送速度（即ちＰＬＣＰヘッダの“シグナル”フィールドに記載された伝送速度）を読み出して、アクセスポイント１に対して送信する伝送速度として内部メモリに記憶・設定する。
【００７７】
なお、上記の説明では伝送速度の測定は、アクセスポイント１からクライアント２（＃１〜＃ｎ）への下り方向についてのみ行っているが、クライアント２（＃１〜＃ｎ）からアクセスポイント１への上り方向での伝送速度の設定に付いては、原則として、下り方向に設定された伝送速度と同一の伝送速度を設定する。
【００７８】
もし、下り方向に比し、上り方向の電波伝播条件が悪く送信の伝送速度を遅くしなければならない場合は、メッセージ信号を送受信する手順において、アクセスポイント１が各クライアント２（＃１〜＃ｎ）から受信したデータの誤り率の測定によって行うアクセスポイント１からのＡＣＫ応答により伝送速度の設定変更を行う。
【００７９】
即ち、各クライアント２（ここでは、＃１）は、アクセスポイント１からの自分宛のＡＣＫ応答を受信できなければ、クライアント２（＃１）は、ＡＣＫ応答を受信するまで送信の伝送速度を設定値より下げる処理を行ない伝送速度を変更できるので、上り方向の伝送速度の測定は行なわない。
【００８０】
以下、アクセスポイント１と各クライアント２（＃１〜＃ｎ）との間の通信の伝送速度が設定され無線ＬＡＮシステムが定常的な運用状態となった後、データを送受信する場合、即ち、メッセージデータを送受信する場合の無線ＬＡＮシステムの動作について説明する。
【００８１】
本発明の無線ＬＡＮシステムでは、パケットデータを送受信する手順等は、通信制御部ＣＣ１（クライアント２ではＣＣ２）が制御する。この送受信制御手順については、例えばＩＥＥＥ８０２．１１ａ、ＩＥＥＥ８０２．１１ｂ等の標準に準じているので、その詳細な説明は省略するが、アクセスポイント１と各クライアント２（＃１〜＃ｎ）の動作概要は以下の通りである。
【００８２】
最初にアクセスポイント１が、ネットワーク３からデータを受け取り、クライアント２（＃１）に送信する場合を説明する。
【００８３】
アクセスポイント１において、ネットワークインタフェースＩＦ１がネットワーク３から受信したメッセージのデータは、レベル変換などを行ない、更にＴＣＰ／ＩＰ手順に従い、ＭＡＣ部ＭＣ１に出力される。
【００８４】
すると、ＭＡＣ部ＭＣ１は、そのデータに送信元「アクセスポイント１」および受信先「クライアント２（ここでは、＃３）」のアドレスと送信されるパケットデータがメッセージのデータであることをＭＡＣヘッダに設定し、又、同時に通信管理テーブル５のクライアント・設定伝送速度表５ｃに記載されているその通信相手のクライアント２（＃３）に設定された伝送速度「２４Ｍｂｐｓ」をＰＬＣＰヘッダの“シグナル”フィールドに設定したパケットデータを作成する。
【００８５】
そして、第２の周波数帯の「２４Ｍｂｐｓ」で送信するので無線送受信部ＴＲＸ２に、ベースバンドでパケット化されたデータ信号を出力する。次に無線送受信部ＴＲＸ２は、ＰＬＣＰプリアンブルとＰＬＣＰヘッダを第２の周波数帯の最低速度６Ｍｂｐｓで、またＭＡＣヘッダとメッセージのデータを２４Ｍｂｐｓの伝送速度で送信する。
【００８６】
クライアント２（＃１）では、このメッセージ信号（パケットデータ）を受信した無線送受信部ＴＲＸ４が復調した信号から、ＭＡＣヘッダ情報を読取り、自分向けのパケットデータと判断すると、２４Ｍｂｐｓのメッセージのデータをベースバンド信号に復調し、端末機器インタフェース４を介して端末機器等４（例えば＃３）へメッセージのデータを出力する。
【００８７】
また、クライアント２（＃３）は同時に、ＭＡＣヘッダにＡＣＫ応答を設定してＡＣＫ応答信号をアクセスポイント１に返送する。
【００８８】
次に、クライアント２（＃１）からアクセスポイント１にメッセージ信号のパケットデータを送信する場合を説明する。
【００８９】
クライアント２（＃３）において、端末機器インタフェースＩＦ２が端末機器等４から受信したメッセージのデータは、レベル変換などを行ない、更にＴＣＰ／ＩＰ手順に従い、ＭＡＣ部ＭＣ２に出力される。
【００９０】
すると、ＭＡＣ部ＭＣ２は、そのメッセージのデータに送信元「クライアント２（＃３）」および受信先「アクセスポイント１」のアドレスと送信パケットデータがメッセージのデータであることをＭＡＣヘッダに設定する。
【００９１】
又、アクセスポイント１から設定された「伝送速度」（例えば２４Ｍｂｐｓ）をＰＬＣＰヘッダのシグナルフィールドに設定したパケットデータを作成する。
【００９２】
そして、第２の周波数帯の２４Ｍｂｐｓで送信するので無線送受信部ＴＲＸ４に、ベースバンドでパケット化されたデータ信号を出力する。
【００９３】
そして無線送受信部ＴＲＸ４は、ＰＬＣＰプリアンブルとＰＬＣＰヘッダを第２の周波数帯の最低速度６Ｍｂｐｓで、またＭＡＣヘッダとメッセージのデータを２４Ｍｂｐｓの伝送速度で送信する。そしてこの時、クライアント２（＃３）の通信制御部ＣＣ２は、アクセスポイント１からのＡＣＫ応答信号を待つタイマを起動する。
【００９４】
アクセスポイント１では、このメッセージ信号（パケットデータ）を受信した無線送受信部ＴＲＸ２が復調した６ＭｂｐｓのＰＬＣＰヘッダから、ＭＡＣヘッダ情報を判読して、アクセスポイント１宛のデータ信号と判断すると、２４Ｍｂｐｓのメッセージ信号のパケットデータをベースバンド信号に復調し、端末機器インタフェース４を介して端末機器もしくはホストコンピュータ等へデータを出力する。また、アクセスポイント１は、同時に、ＭＡＣヘッダにＡＣＫ応答を設定したＡＣＫ応答信号をクライアント２（＃３）に返送する。
【００９５】
そしてクライアント２（＃３）はこのＡＣＫ応答信号を受信すると、送信作業を終了し、待機状態に入る。
【００９６】
ここでもし、アクセスポイント１でメッセージ信号（パケットデータ）が正しく受信できずタイマの設定時間内にクライアント２（＃３）からＡＣＫ応答が返送されないと、クライアント２（＃３）の通信制御部ＣＣ２は、メッセージ信号の送信に失敗したと判断する。そして、クライアント２（＃３）の通信制御部ＣＣ２は、第２の周波数帯において伝送速度を２４Ｍｂｐｓより１段低く１８Ｍｂｐｓに設定し同じメッセージのデータをパケット化して再送信する。（この際当然、ＰＬＣＰヘッダの“シグナル”フィールドには「１８Ｍｂｐｓ」が設定される。）
そして、もし、再送信しても再びＡＣＫ応答の受信に失敗すれば、更に設定する伝送速度を下げてメッセージ信号を送信する。この処理をＡＣＫ応答が受信できるまで繰り返すこと（フォールバック機能）によって、アクセスポイント１とクライアント２（＃１）との間の通信が電波伝播条件の影響で上下方向で伝送速度が異なるような状態でも通信できるようにしている。
【００９７】
以上のように、本発明では、アクセスポイント１が通信管理テーブル５を参照して各クライアント２（＃１〜＃ｎ）との伝送速度を設定することにより、各クライアント２（＃１〜＃ｎ）との伝播条件の違いに対応して無線ＬＡＮシステムを様々な伝送速度を設定し運用することが出来る。
【００９８】
次に、通信管理テーブル５を参照して周波数帯および伝送速度を各種の条件に対応して設定する手順について説明する。
【００９９】
ある特定のエリヤ内で、無線ＬＡＮシステムを運用する場合、各クライアント２（＃１〜＃ｎ）は、同じ周波数帯を共用して通信する。このため、送信するタイミングが重複し、衝突しないように、例えば、ＣＳＭＡ／ＣＡ（キャリヤ  センス  マルチプル  アクセス／コリジョン  アボイダンス：キャリヤ検出・衝突回避）の手段を用いて衝突が発生しない対策が採られている。
【０１００】
従って、同一の周波数帯を各クライアント２（＃１〜＃ｎ）が順次交替して利用するため、無線ＬＡＮシステムに収容するクライアント２の数が増加すると、単位時間あたりの各クライアント２（＃１〜＃ｎ）毎に分け与えられる送信時間は短くなるので、実効伝送速度（スループット）が低下する。
【０１０１】
また、伝送速度、即ち、変調速度は、その変調速度に対応する多値変調方式によって決定されるが、多値変調の性能は、変調速度が高くなるほど、例えば、受信電界強度や混信など電波伝播環境の影響を受けやすい。このため、アクセスポイント１と各クライアント２（＃１〜＃ｎ）の通信可能な最高伝送速度は全て一様ではなく、各クライアント２（＃１〜＃ｎ）の得られるスループットは各々異なり、公平でないことも多い。
【０１０２】
その結果、伝送速度が遅いクライアント２では、通信データ量が大きくなると１回の許容時間内に全てのデータが通信出来ず、何回にも分けて送受信することになり、伝送速度が速いクライアント２に比べて長い時間がかかる。
【０１０３】
例えば図７において、クライアント２（＃２）では第１周波数帯での伝送速度は２Ｍｂｐｓであるが、第２周波数帯では通信できない「不可」であることを示している。その他のクライアント２（＃１）、（＃３〜＃６）についても同様に伝送速度が設定されている。また、クライアント２（＃５）は、第１周波数帯での伝送速度が１Ｍｂｐｓであり、他のクライアント２に比べて遅くなっている。これは、例えば、クライアント２（＃５）が置かれた位置が悪く、良い電波伝播条件が得られない等の原因により第１周波数帯では１Ｍｂｐｓでしか送受信できず、更に第２周波数帯では、通信が出来なかったことを示している。
【０１０４】
更に、図７からは、クライアント２（＃１）は、第２周波数帯での高速伝送速度５４Ｍｂｐｓの得られているのに比べ、クライアント２（＃５）は、第１周波数帯での最低伝送速度１Ｍｂｐｓしか得られず、クライアント２（＃１）と（＃５）の間で著しく不公平が生じていることが判る。
【０１０５】
このような無線ＬＡＮシステムを運用するにあたっては、アクセスポイント１とクライアント２（＃１〜＃ｎ）との間の伝送速度を、そのまま無線ＬＡＮシステムで使用するか否かについて、次のように処理される。
【０１０６】
即ち、アクセスポイント１にアクセスしているクライアント２の数が少なく、また送受信する通信データ量が少ないような、小さいトラフィックで運用されていれば、各クライアント２は許される最高伝送速度で通信しても他のクライアン２の通信に対して大きな影響は与えない。
【０１０７】
しかし、多数のクライアント２が一斉に通信する場合、もしくは少数のクライアント２が大量のデータを連続的に繰り返して送受信するような大きなトラフィックで運用されている場合には、全てのクライアント２が公平に無線ＬＡＮシステムで通信できるようにしなければならない。
【０１０８】
そこで本発明では、高い伝送速度を得ることが可能なクライアント２であっても低い伝送速度に設定することによりクライアント２のスループットに制限をかけ、他のクライアント２にも通信可能な時間を配分して、公平性の有る無線ＬＡＮシステムを提供する。
【０１０９】
図９は、アクセスポイント１が各クライアント２（＃１〜＃ｎ）間のスループットに公平性を持たせるため、アクセスポイント１と各クライアント２（＃１〜＃ｎ）との間の伝送速度を設定する動作手順を示したフローチャートである。
【０１１０】
図１０は、アクセスポイント１が想定スループットを算出し、各クライアント２（ここでは、＃７〜＃１０）との間の伝送速度を設定する手順を段階的に示した表である。ここで想定スループットとは、クライアント２とアクセスポイント１との間の物理的な変調速度（即ち、伝送速度）ではなく、複数のクライアント２が同一周波数帯を共用する時の実効伝送速度（スループット）を推定した伝送速度である。
【０１１１】
図１０のフラグ欄で「適用」は、周波数帯および伝送速度ならびに想定スループットの使用を表し、「非適用」は、周波数帯および伝送速度ならびに想定スループットの不使用を表している。
【０１１２】
無線ＬＡＮシステムが起動すると、アクセスポイント１は各クライアント２（＃７〜＃１０）との間で伝送速度の測定を行い、設定する伝送速度と想定スループットを算出し、所定のスループット条件に合うように伝送速度を選択して設定する。
【０１１３】
図９では、各クライアント２（＃７〜＃１０）のスループットに公平を図るため、想定スループットの最大値と最小値の差分値が５Ｍｂｐｓ以下になるよう、アクセスポイント１の伝送速度設定のフローチャートが示されている。
【０１１４】
なお、初期設定される想定スループットの差分値については、５Ｍｂｐｓに限ることなく無線ＬＡＮの運用形態・運用条件に応じて設定するものであって、例えば、トラフィックの量に応じて設定するようにしても良い。
【０１１５】
初めにアクセスポイント１は、クライアント（＃７〜＃１０）との間の伝送速度を測定すると、伝送速度測定表５ｂを参照して各クライアント２（＃７〜＃１０）との想定スループットを算出する（図９のステップｓ１０１）。
【０１１６】
図１０（ａ）では、クライアント２（＃７）は、第１周波数帯では１１Ｍｂｐｓの伝送速度で、第２周波数帯では３６Ｍｂｐｓの伝送速度で通信可能であることが確認され、実際の通信は第２周波数帯の３６Ｍｂｐｓで送受信を行うよう設定されている。また、第２周波数帯で通信をするクライアント２は（＃７）と（＃８）の２つで有ることから、クライアント２（＃７）の想定スループットは、３６÷２＝１８（Ｍｂｐｓ）であることを示している。
【０１１７】
また、他のクライアント２（＃８〜＃１０）についても、クライアント２（＃７）と同様に周波数帯と伝送速度が設定され、それに対応する想定スループットが示されている。
【０１１８】
そこで、想定スループットの最大値と最小値の差分を求めると、最大値はクライアント２（＃７）の「１８Ｍｂｐｓ」で、最小値はクライアント２（＃１０）の「２．７５Ｍｂｐｓ」であり、１８−２．７５＝１５．２５（Ｍｂｐｓ）である。
【０１１９】
したがって、想定スループットの最大値と最小値の差が５Ｍｂｐｓ以上と判断される（図９のステップｓ１０２がＹｅｓの場合）。
【０１２０】
そこで最大の想定スループットを有するクライアント２（＃７）の伝送速度を一段階フォールバック（伝送速度を低く切替える）（図９のステップｓ１０３）させ、その時の想定スループットを算出する（図９のステップｓ１０４）。そして想定スループットの最大値と最小値の差分が設定値の５Ｍｂｐｓ以下になるまでこの処理を繰り返す。
【０１２１】
図１０（ｂ）ではクライアント２（＃７）の第２周波数帯の伝送速度を２４Ｍｂｐｓにフォールバックしたが、想定スループットの差が１２−２．７５＝９．２５となり５Ｍｂｐｓ以下にならない。そこで図１０（ｃ）に示すように、伝送速度を１２Ｍｂｐｓにフォールバックさせると、想定スループットの差が６−２．７５＝３．２５となり、５Ｍｂｐｓ以下になる。これにより、クライアント２（＃７）とアクセスポイント１との間の伝送速度が１２Ｍｂｐｓに設定される（図９のステップｓ１０５）。
【０１２２】
そして、アクセスポイント１は、クライアント・設定伝送速度表５ｃに相当する図１０（ｄ）に示すクライアント・設定伝送表を、通信管理テーブル５に記憶させる。
【０１２３】
また、想定スループットの最大値と最小値の差分が５Ｍｂｐｓを超えるよう設定されたクライアント２が他にあれば、当該クライアント２についてもクライアント２（＃７）同様にアクセスポイント１との間の伝送速度を１２Ｍｂｐｓに設定する。
【０１２４】
このように本発明によれば、各クライアント２（＃１〜＃ｎ）間でのスループットを揃えて、各クライアントが共用している周波数帯域での通信を少数のクライアントが独り占めするような送受信を防いで各クライアント間で公平化を図ることができる。
【０１２５】
次に、トラフィック量が多い場合でも、特定のクライアント２に対しては、出来る限りスループットを確保しておきたい要求に対応する処理について説明する。
【０１２６】
本発明では、無線ＬＡＮ上のトラフィック量を監視することにより、各クライアント２（＃１〜＃ｎ）の伝送速度を設定することを可能とする。
【０１２７】
即ち、トラフィック量が少ない場合には、図８のクライアント・設定伝送速度表５ｃに示す高いスループットでデータを通信できるように、クライアント２（＃１〜＃ｎ）の伝送速度を設定して通信する。一方、トラフィック量が多い場合には、例えば、全てのクライアント２（＃１〜＃ｎ）で公平に同じ伝送速度で通信を行うように、各クライアント２（＃１〜＃ｎ）の伝送速度を最も低いクライアントの伝送速度（１Ｍｂｐｓ）に設定にして通信することも出来る。
【０１２８】
図１１は、クライアント２（＃１〜＃６）とアクセスポイント１との間の各種の設定モードにおける伝送速度の設定表（以下、伝送設定モード表５ｄと称する）例である。
【０１２９】
ここで、「フリー」とは、図８のクライアント設定・伝送速度表５ｃと同じ設定であり、各クライアント２（＃１〜＃６）とアクセスポイント１との間で測定された最適な伝送速度の値を採用している。
【０１３０】
また、「共有１」における伝送速度は、上述した方法で想定スループットを求め、想定スループットの最大値と最小値の差分を５Ｍｂｐｓ以下とした場合の設定値である。
【０１３１】
「共有２」における伝送速度は、最適な伝送速度が４８Ｍｂｐｓ以上であれば、設定伝送速度を２段フォールバックさせ、１２〜３６Ｍｂｐｓであれば、設定伝送速度を１段フォールバックさせた値としている。また、想定スループットは複数のクライアント２が同時にアクセスする確率を考慮した予測数で除した例である。ここでは、想定スループットは設定伝送速度の約６０％として算出している。
【０１３２】
「優先」における伝送速度は、特定のクライアント２（ここでは、＃１）に対しては５４Ｍｂｐｓを設定し、ベストエフォートとしての伝送速度が得られるようにしたもので、残りのクライアント２（＃２〜＃６）に付いては、低い伝送速度に制限して設定している。
【０１３３】
また、想定スループットは、「フリー」、「優先」の２つのモードにおいては、信号処理上使用しないので算出していない。
【０１３４】
アクセスポイント１が上記の設定モードのうち、各クライアント２（＃１〜＃６）をどのモードにより伝送速度を設定するか、予め設定してもよい。
【０１３５】
次に、無線ＬＡＮがトラフィック量の条件に合わせて、公平性を図る運用や、特定のクライアント２に優先性を持たせた運用を、上記の設定モードから選択して行う方法について説明する。
【０１３６】
なお、無線ＬＡＮシステムは、アクセスポイントの電源とクライアント２（＃１〜＃６）の電源が投入され、図６の手順に従って、通信を開始するものとして説明を行う。
【０１３７】
アクセスポイント１は、トラフィック量を調べるために、例えば、通信制御部ＣＣ１によって、ＭＡＣ部ＭＣ１が無線送受信部ＴＲＸ１およびＴＲＸ２との間で設定した時間内（例えば１秒間）に入出力したデータのビット数を監視している。そして、単位時間あたりの情報伝送量（トラフィック量と換算する情報量、例えばメガバイト／秒）に応じて、上記設定モードを選択し、各クライアント２（＃１〜＃６）に対して伝送速度を設定する。
【０１３８】
図１２は、トラフィック量の大きさに基づいて分類（ランク１〜ランク４）し、上記設定モードに対応させた一例を示す。
【０１３９】
図１２の伝送モード選択表において「ランク１」は、トラフィック量が小さく、「フリー」モードで伝送してよい場合、「ランク２」は、平均的な「共有２」を適用する運用の形態である。例えば、「ランク１」では、トラフィックが１メガバイト／秒以下で、各クライアント２（＃１〜＃６）が、任意の時間に送受信してもほとんど衝突の発生もなく、アクセスポイント１との間で測定した最高の伝送速度、即ちクライアント・設定速度表５ｃを適用する場合である。
【０１４０】
また、「ランク２」は、例えば、１〜５メガバイト／秒のトラフィック量で、クライアント２で速い伝送速度が設定可能であっても、伝送速度が速いクライアント２に対しては、伝送速度に制限を設けた設定をして、想定スループットも比較的高く予測している。
【０１４１】
同様に、「ランク３」は、「共有１」を適用する場合の形態である。この「ランク３」はトラフィック量が例えば５メガバイト／秒以上で、想定スループットが低く見積もられている時など、各クライアント２（＃１〜＃６）毎の伝送速度は遅くても確実に通信できるような公平性を重視する場合に適用される。
【０１４２】
「ランク４」は、どのようなトラフィック量であっても特定のクライアント２（＃１）に優先的な通信を確保させたい要求が有る場合に適用される運用の形態である。この運用は、無線ＬＡＮ管理者等によって設定される。
【０１４３】
アクセスポイント１は、システム起動の直後は、トラフィック量の測定は行っおらず、各クライアント２（＃１〜＃６）とは、各クライアントとの試験で測定した伝送速度で通信を行っているとする。
【０１４４】
次いで、アクセスポイント１は、トラフィック量のモニタを開始して通信制御部ＣＣ１がＭＡＣ部ＭＣ１が無線送受信部ＴＲＸ１およびＴＲＸ２と送受信したビット数をカウントし、例えば、２メガバイト／秒であったとする。そして、通信制御部ＣＣ１は、通信管理テーブル５の伝送モード選択表５ｅを参照することにより「ランク２」の運用条件に対応すると判断する。
【０１４５】
この「ランク２」の運用条件は「共通２」の設定モードであると判断し、各クライアント２との伝送速度を下げなければならないことが分る。そこで、アクセスポイント１は、例えば、クライアント２（＃１）に対して伝送速度を５４Ｍｂｐｓから３６Ｍｂｐｓに下げるよう、変更設定を行う。その詳細は、前述の伝送速度測定後のクライアント２との速度設定の手順、もしくはメッセージデータの送信手順で説明されている手順と同様であるので省略する。
【０１４６】
同様にして、クライアント２（＃２〜＃６）についても、伝送速度の設定を変更する。
【０１４７】
なお、トラフィック量の抽出方法については、例えば、一定の時間内に無線ＬＡＮシステムにアクセスしてきたクライアント２の数、もしくはこのアクセスしてきたクライアント２の数とそれらに対する想定スループットから推定するなど、無線ＬＡＮシステムの運用条件等に応じて適宜、判定方法や手段をあらかじめ定める。
【０１４８】
また、無線ＬＡＮシステムに接続された網監視制御装置６により、アクセスポイント１と各クライアント２（＃１〜＃ｎ）の通信を監視することにより行い、網監視制御装置６がアクセスポイント１の動作条件等を設定し、各クライアント２（＃１〜＃ｎ）との間の伝送速度をアクセスポイント１が設定するようにしてもよい。
【０１４９】
また、伝送設定モードの設定条件、設定方法、および項目等は、無線ＬＡＮシステムの運用条件に応じて適宜設定してもよい。
【０１５０】
例えば、図１１の伝送設定モード表５ｄのクライアント２（＃１）のように、無線ＬＡＮシステムにリモート監視の画像やＩＰ電話等の音声を専用に伝送するクライアントがあれば、これらの画像信号や音声信号はリアルタイム性を必要とするので、クライアント２（＃１）における遅延の発生を防ぐため「優先」モードが適用される。
【０１５１】
本発明の無線ＬＡＮシステムでは、アクセスポイントと各クライアントの間で試験通信した周波数帯・伝送速度を記録したクライアント・設定伝送速度表５ｃと、それらの周波数帯において設定された伝送速度を記録した伝送設定モード表５ｄおよびその無線ＬＡＮのトラフィック量と伝送モードを対照させた伝送モード選択表５ｅを参照してそれぞれの条件に応じてアクセスポイントと各クライアントの伝送速度を設定することができる。
【０１５２】
そして、本発明の無線ＬＡＮシステムでは、複数の周波数帯を利用し、伝送容量不足の改善と、各クライアントに伝播条件の違いや無線ＬＡＮの運用条件等に対応して、各クライアント間での伝送速度の公平化を図ることができるのみならず、特定のクライアントに優先度を持たせる多様な伝送速度を設定することができる。
【０１５３】
【発明の効果】
以上述べたように、本発明の無線ＬＡＮシステムによれば、複数の周波数帯を利用し、伝送容量不足の改善と、各クライアントに伝播条件の違いや無線ＬＡＮの運用条件等に対応してスループットの設定が可能になり、各クライアント間での伝送速度の公平化を図ることができ、または特定のクライアントに優先度を持たせる等の多様な伝送速度を設定することができる。
【図面の簡単な説明】
【図１】本発明による無線ＬＡＮシステムの構成を示すブロック図。
【図２】本発明の無線ＬＡＮシステムのアクセスポイントの構成要素を示すブロック図。
【図３】本発明の無線ＬＡＮシステムのクライアントの構成要素を示すブロック図。
【図４】通信管理テーブルに記録された周波数帯・伝送速度設定表の例の図。
【図５】アクセスポイントとクライアントとの間で送受信されるパケットの構成を説明した図。
【図６】アクセスポイントとクライアントとの間で可能な最高伝送速度の測定を行う手順を示したフローチャート。
【図７】通信管理テーブルに記録された最高伝送速度測定表の例の図。
【図８】通信管理テーブルに記録されたクライアント・設定伝送速度表の例の図。
【図９】各クライアントとアクセスポイントの間のスループットに公平性を持たせるための動作手順を示すフローチャート。
【図１０】各クライアントとアクセスポイントとの間の公平性の有るスループット設定を行う手順の例を説明する図。
【図１１】通信管理テーブルに記録された伝送設定モード表の例の図。
【図１２】通信管理テーブルに記録された伝送モード選択表の例の図。
【符号の説明】
１  アクセスポイント
２  クライアント
３  ネットワーク
４  端末機器等
５  通信管理テーブル
５ａ  周波数帯・伝送速度設定表
５ｂ  クライアント毎の伝送速度測定表
５ｃ  クライアント・設定伝送速度表
５ｄ  伝送設定モード表
５ｅ  伝送モード選択表
６  網監視制御装置
ＴＲＸ１、ＴＲＸ２、ＴＲＸ３、ＴＲＸ４  無線送受信部
ＭＣ１、ＭＣ２  ＭＡＣ部
【図１】
2004221710.tif 000003
【図２】
2004221710.tif 000004
【図３】
2004221710.tif 000005
【図４】
2004221710.tif 000006
【図５】
2004221710.tif 000007
【図６】
2004221710.tif 000008
【図７】
2004221710.tif 000009
【図８】
2004221710.tif 000010
【図９】
2004221710.tif 000011
【図１０】
2004221710.tif 000012
【図１１】
2004221710.tif 000013
【図１２】
2004221710.tif 000014